(57)【要約】【課題】FSC表示方式において、従来技術による注目画素のRGBを動きベクトルのライン上の他の画素へ再配置する方法は、GまたはBが再配置されない画素が発生するため、変換後画像の画質が著しく劣化する。【解決手段】動きベクトルを参照し、注目画素のRGBを再配置することにより、色割れ(カラーブレーキング)現象を抑制する。注目画素Sの画素移動成分として求めた動きベクトルMVrefを、注目画素を中心とする動きベクトルMVcに変換し、変換後の動きベクトルMVcが通過するライン上の画素のRGBから注目画素SのRGBを再配置する。【選択図】図１
2010250160.tif 000002
【特許請求の範囲】
【請求項１】
入力された動画像の第1、第2、第3の色情報を前記の順番で時分割表示するカラー画像表示装置であって、
前記動画像の画素の第1の動きベクトルを検出する動きベクトル検出部と、
前記検出された第1の動きベクトルを所定の手順で第2の動きベクトルに変換する動きベクトル変換部と、
前記第2の動きベクトルに基づき前記動画像の高画質化処理を行う画像変換部とを有し、
該画像変換部は所定画素の前記第1、第2、ないし第3のいずれかの色情報を、他の画素の前記第1、第2ないし第3の色情報を用いて変換することを特徴とするカラー画像表示装置。
【請求項２】
請求項１に記載のカラー画像表示装置において、前記画像変換部は、前記所定画素の前記第1、第2、ないし第3のいずれかの色情報を、他の画素の前記第1、第2ないし第3の色情報で置換することを特徴とするカラー画像表示装置。
【請求項３】
請求項１に記載のカラー画像表示装置において、前記画像変換部は、前記所定画素の前記第1の色情報を他の画素の第1の色情報で、前記所定画素の第3の色情報をさらに他の画素の第3の色情報を用いて変換することを特徴とするカラー画像表示装置。
【請求項４】
請求項１に記載のカラー画像表示装置において、前記動きベクトル変換部は、前記動きベクトル検出部で得た前記第1の動きベクトルを水平方向、および垂直方向とも180度変換して第2の動きベクトルに変換し、該第2の動きベクトルの中心点と前記動きベクトル検出部が前記第1の動きベクトルを検出した際の画素が概略一致するよう位置の変換を行うことを特徴とするカラー画像表示装置。
【請求項５】
請求項４に記載のカラー画像表示装置において、前記画像変換部は、前記第2の動きベクトルの始点に位置する画素の第1の色情報と、前記第2の動きベクトルの中心に位置する画素の第2の色情報と、第2の動きベクトルの終点に位置する画素の第3の色情報とで前記第2の動きベクトルの中心に位置する画素を生成することを特徴とするカラー画像表示装置。
【請求項６】
入力された動画像の第1、第2、第3の色情報を前記の順番で時分割表示するカラー画像表示方法であって、
前記入力された動画像の画素の第1の動きベクトルを検出する動きベクトル検出ステップと、
前記第1の動きベクトルを所定の手順で第2の動きベクトルに変換する動きベクトル変換ステップと、
前記第2の動きベクトルに基づき前記動画像の高画質化処理を行う画像変換ステップとを有し、
該画像変換ステップは所定画素の前記第1、第2、ないし第3のいずれかの色情報を、他の画素の前記第1、第2ないし第3の色情報を用いて変換することを特徴とするカラー画像表示方法。
【請求項７】
請求項６に記載のカラー画像表示方法において、
前記動きベクトル変換ステップは、前記動きベクトル検出ステップで得た前記第1の動きベクトルを水平方向、および垂直方向とも180度変換して第2の動きベクトルに変換し、該第2の動きベクトルの中心点と前記動きベクトル検出ステップが前記第1の動きベクトルを検出した際の画素の位置が概略一致するよう位置の変換を行い、
前記画像変換ステップは、前記第2の動きベクトルの始点に位置する画素の第1の色情報と、前記第2の動きベクトルの中心に位置する画素の第2の色情報と、第2の動きベクトルの終点に位置する画素の第3の色情報とで前記第2の動きベクトルの中心に位置する画素を生成することを特徴とするカラー画像表示方法。
【発明の詳細な説明】
【技術分野】
【０００１】
本発明は、カラー画像表示装置およびカラー画像表示方法に係り、特にフィールド・シーケンシャル・カラー表示方式において動画像を高画質化したカラー画像表示装置およびカラー画像表示方法に関する。
【背景技術】
【０００２】
フィールド・シーケンシャル・カラー(以下、FSCと称する)表示方式は、RGBを時分割で高速に切換え、それぞれの色を1画素分の面積を使って発光させる方法である。FSC方式は、面分割方式に比べて明るい画像を得られる特徴がある。しかし、一方で、RGBを時分割で表示することに起因して、色割れ(カラーブレーキング)現象が問題になることが知られている。色割れ現象とは後に詳しく説明するように、動きの速い映像等において、映像の動きに人の視線が追従する際に、ある注目画素のRGBを周辺画素のRGBと混在させて誤認識するために生じる擬似ノイズのことある。
【０００３】
色割れ現象を改善する従来技術として、例えば特許文献1にあるように、画像の赤色(以下、Rと称する)、緑色(以下、Gと称する)、青色(以下、Bと称する)の各成分の高速切り替え表示によりフルカラー表示を行うFSC表示方式において動画表示を行うあたり、例えば、R0、G0、B0で構成する注目画素Sにおいて動きベクトルMVsが得られた場合、動きベクトルMVsの起点画素、即ち注目画素SにR0を配置し、動きベクトルMVsが通過する中間点画素にG0を配置し、動きベクトルMVsの終点画素にB0を配置する手順でRGBを再配置して、色割れ現象を抑制する方法が開示されている。
【先行技術文献】
【特許文献】
【０００４】
【特許文献１】特開2002-215109号公報
【発明の概要】
【発明が解決しようとする課題】
【０００５】
前述の背景技術の方法では、RGBを再配置する過程において、Rは必ず全画素に再配置されるものの、動きベクトルが通過する中間点画素または終点画素が必ず排他的に全画素に割当てられるとは限らず、GまたはBが再配置されない場合がある。GまたはBが再配置されない画素が存在する場合は、その画素には、GまたはBの色情報が設定されないため、画質が著しく劣化した画像となる課題がある。背景技術における前記課題は、例えば、動きベクトル検出精度が低下(検出した画素位置に誤差発生)しても発生し、さらには、動きベクトルが通過する画素上にGまたはBを再配置する画素位置と、他の動きベクトルによるGまたはBを再配置する画素位置とが重なることでも発生する。
【０００６】
本発明の目的は前記した課題に鑑み、FSCカラー表示方式において動画像を高画質化したカラー画像表示装置およびカラー画像表示方法を提供することにある。
【課題を解決するための手段】
【０００７】
前記目的を達成するため本発明は、入力された動画像の第1、第2、第3の色情報を前記の順番で時分割表示するカラー画像表示装置であって、前記動画像の画素の第1の動きベクトルを検出する動きベクトル検出部と、検出された前記第1の動きベクトルを所定の手順で第2の動きベクトルに変換する動きベクトル変換部と、前記第2の動きベクトルに基づき前記動画像の高画質化処理を行う画像変換部とを有し、該画像変換部は所定画素の前記第1、第2、ないし第3のいずれかの色情報を、他の画素の前記第1、第2ないし第3の色情報を用いて変換することを特徴としている。
【０００８】
また本発明は、入力された動画像の第1、第2、第3の色情報を前記の順番で時分割表示するカラー画像表示方法であって、前記入力された動画像の画素の第1の動きベクトルを検出する動きベクトル検出ステップと、前記第1の動きベクトルを所定の手順で第2の動きベクトルに変換する動きベクトル変換ステップと、前記第2の動きベクトルに基づき前記動画像の高画質化処理を行う画像変換ステップとを有し、該画像変換ステップは所定画素の前記第1、第2、ないし第3のいずれかの色情報を、他の画素の前記第1、第2ないし第3の色情報を用いて変換することを特徴としている。
【発明の効果】
【０００９】
本発明によれば、FSCカラー表示方式において色割れ現象を抑制し、動画像を高画質化したカラー画像表示装置およびカラー画像表示方法を提供できるという効果がある。
【図面の簡単な説明】
【００１０】
【図１】本発明の一実施例における高画質化部の構成を示す図。
【図２】FSC表示方式の表示方法を示す図。
【図３】色割れ現象発生メカニズムの概要を示す図。
【図４】従来の色割れ補正方法の概要を示す図。
【図５】本発明の一実施例における動きベクトル検出部の構成を示す図。
【図６】本発明の一実施例における動きベクトル変換部の構成を示す図。
【図７】本発明の一実施例における動きベクトル変換部の動作を示す図。
【図８】本発明の一実施例における画像変換部の手順を示す図。
【図９】本発明の一実施例における画像変換部の手順の別な例を示す図。
【図１０】本発明の一実施例における画像変換部の手順のさらに別な例を示す図。
【図１１】本発明の一実施例における動きベクトル変換手順の別な例を示す図。
【図１２】本発明の一実施例における高画質化部の処理フローを示す図。
【図１３】本発明による高画質化部を用いたFSC液晶パネル装置の構成例を示す図。
【発明を実施するための形態】
【００１１】
以下、本発明の実施形態の例につき図面を用いて説明する。
本発明の高画質化部は、動きベクトル検出部と、動きベクトル変換部と、画像変換部とで構成される。
【００１２】
図1は、本発明の一実施例における高画質化部100の構成を示す図である。
高画質化部100は、外部から入力した画像から画素毎の動きベクトルを求めるための動きベクトル検出部101と、入力画像を補正する目的で求めた動きベクトルを所定の手順で変換するための動きベクトル変換部102と、変換後の動きベクトルを使用して入力画像の各画素RGBを再配置することで高画質化を図った後、画像を外部へ出力するための画像変換部103で構成される。
【００１３】
図2は、FSC表示方式の表示方法を示す図である。
例えば、従来の液晶ディスプレイは、面分割と呼ばれる1画素を色の3原色であるR(赤)、G(緑)、B(青)の3個の領域に分割して、それぞれの合成で色表現を行う方式が一般的に採用されている。
FSC方式は、1画素を面分割でRGBに区切るのではなく、RGBを時分割で高速に切換え、それぞれの色を1画素分の面積を使って発光させる方法(200)である。例えば、60フレーム/秒の映像の場合、フレーム表示時間T(201)は1/60秒(＝1画素の表示時間)である。この時のR、G、Bそれぞれの表示時間T1(202)、T2(203)、T3(204)は、時間T(200)を3等分した1/180秒となる。
【００１４】
FSC方式では、通常の1画素分の面積を使って発色するため画素辺りの開口率を大きくすることが可能であり、面分割方式に比べて明るい画像を得られる特徴がある。
一方、この様にRGBを時分割で表示することに起因して、色割れ(カラーブレーキング)現象が問題になることが知られている。色割れ現象とは、動きの速い映像等において、映像の動きに人の視線が追従する際に、ある注目画素のRGBを周辺画素のRGBと混在させて誤認識するために生じる擬似ノイズのことある。
【００１５】
図3は、色割れ現象発生メカニズムの概要を示す図である。ここでは画面の垂直方向に3画素が並んだ状態を示している。横方向は画面の水平方向ではなく、時間を示す。
図3(a)の例において、1フレーム表示時間Tの間に注目画素M+0(300)が画素M+1(301)に向けて垂直方向に2画素移動し、人の視線も画素移動方向MV(304)に追従したと仮定する。FSC方式の1画素のRGBは、T1、T2、T3の期間を経て表示されるが、視線は画素移動に追従するため、視線パスP(303)を通過する。このため、注目画素M+0(300)は本来R0、G0、B0で表示されているところを、図3(b)の画素305に示すように、R0、G1、B2と誤った構成で認識する。これが、色割れ現象の発生メカニズムである。
【００１６】
図4は、従来の色割れ補正方法の概要を示す図である。
特許文献１に記載の従来方法には、画素の動きベクトルを参照して、その動きベクトルが通過するライン上に、注目画素のRGBを再配置する方法が記載されている。例えば、図4(a)のように、注目画素M+0(400)が1フレーム期間T後に画素M+2(402)に移動し、画素M+0(400)から画素M+2(402)への移動を示す動きベクトルMV(408)が求められたとする。この場合、動きベクトルMV(408)を参照して、注目画素M+0(400)のRを起点、画素M+2(402)のBを終点とするライン上に、注目画素のRGBを再配置する。具体的には、注目画素のR0(403)はそのまま移動せずとし、G0(404)は画素M+1(401)のGの位置(406)に移動、B0(405)は、画素M+2(402)のBの位置(407)に移動させて、RGBの再配置を行う。注目画素M+0(400)以外の画素においても、同様の手順でRGBを再配置する。
【００１７】
しかし、前記した従来方法による補正方法では、主に動きベクトルの検出精度の問題に起因して、動きベクトルが通過しない画素が生じる可能性がある。その場合、画素のRは補正後も元の位置に必ず残るが、GまたはBが再配置されない箇所が生じるという課題がある。例えば、図4(a)の注目画素M+0(400)のRGBを再配置した後、他の画素の動きベクトルが同画素を通らない場合、図4(b)に示すようにR(403)のみが残り、G(410)とB(411)には他の画素が再配置されない。この時の画素M+0(409)は赤色だけが発色され、強い画像ノイズとして表示されることになる。
【００１８】
この課題を回避するため、本発明の装置は以下の構成の装置および手順を実施する。
図5は、本発明の一実施例における動きベクトル検出部101の構成を示す図である。
動きベクトル検出部101は、外部から入力した現在フレーム画像を保持するフレームメモリ1(500)と、フレームメモリ1(500)の画像を１T遅延部(502)で１T期間遅延させた過去フレーム画像を保持するフレームメモリ2(501)と、現在フレーム画像と過去フレーム画像を参照して、画像を構成する全画素の動きベクトルを検出するための画素動きベクトル検出部(503)で構成する。動きベクトルは、過去フレーム上の注目画素が現在フレーム上のどの座標から移動したかを、注目画素(一般的には輝度値)と注目画素周辺にある任意の画像領域内の画素とで一致比較を行いながら求める。画素の一致比較は、処理効率の観点から輝度値の比較で行うが、カラー値の比較で実施しても良い。また、一致比較のための画像探索範囲も任意に決めて良い。求めた動きベクトルは、水平方向の移動画素数MVxと垂直方向の移動画素数MVyの2つの値で2次元空間上の移動方向および移動量を表現する。
【００１９】
図6は、本発明の一実施例における動きベクトル変換部102の構成を示す図である。
動きベクトル変換部102は、動きベクトル検出部101で求めた動きベクトルMVref(600)を入力し、反転部(601)で前記動きベクトル(600)の方向成分を水平および垂直方向にそれぞれ180度反転する(601)。次に位置変更部(602)では、反転された動きベクトルの中心点と注目画素とが重なるようにベクトル位置を変更して、変換後の動きベクトルMVc(603)を出力する。
【００２０】
動きベクトル変換部102の具体的な実施例を以下に示す。
図7は、本発明の一実施例における動きベクトル変換部102の動作を示す図である。ここでは図3や図4とは異なり、一つの四角が一つの画素を示しており、図2で示したように時分割でRGBの色表現を行う。
図7(a)および図7(b)は、注目画素M+1(701)について求めた動きベクトルMVref(704)が、水平移動量＝0、垂直移動量＝2の場合の動きベクトル変換例である。動きベクトルMVref(704)は、画素M+1(701)を起点に画素M+3(703)を指し示している。同ベクトルを図6の動きベクトル変換部102で変換した結果が図7(b)である。動きベクトルMVref(704)の垂直方向を180度反転させ、動きベクトル中心点を注目画素M+1(701)と重なるように変換した動きベクトルMVc(705)を作成する。水平移動量が0なので、水平方向は変化しない。
【００２１】
図7(c)および図7(d)は、注目画素N+1(707)について求めた動きベクトルMVref(710)が、水平移動量＝2、垂直移動量＝0の場合の動きベクトル変換例である。動きベクトルMVref(710)は、画素N+1(707) を起点に画素N+3(709)を指し示している。動きベクトル変換部102は動きベクトルMVref(710)の水平方向を180度反転させ、動きベクトル中心点を注目画素N+1(707)と重なるように変換した動きベクトルMVc(711)を作成する。垂直移動量が0なので、垂直方向は変化しない。
【００２２】
図7(e)および図7(f)は、注目画素(N+1,M+1)(712)について求めた動きベクトルMVref(714)が、水平移動量＝2、垂直移動量＝2の場合の動きベクトル変換例である。動きベクトルMVref(714)は、画素(N+1,M+1)(712) を起点に画素(N+3,M+3)(713)を指し示している。動きベクトル変換部102は動きベクトルMVref(714)の水平方向を180度反転および垂直方向を180度反転させ、動きベクトル中心点を注目画素(N+1,M+1)(712)と重なるように変換した動きベクトルMVc(715)を作成する。
【００２３】
図8は、本発明の一実施例における画像変換部103の手順を示す図である。ここでは図3や図4と同様に、画面の垂直方向に4画素が並んだ状態を示している。横方向は画面の水平方向ではなく、時間を示す。
同図では、図7(a)および図7(b)に示した画素配置および動きベクトルを使用して、注目画素M+1(801)単独のRGB 再配置手順の例を説明する。
注目画素M+1(801)の動きベクトルMVref(810)をRGBの発光タイミングを考慮した位置に置き換えると、画素M+1(801)のRを起点に画素M+3(803)のBを指し示す位置関係となる。この動きベクトルMVref(810)に対して動きベクトル変換を行い、画素M+2(802)のRを起点に画素M+0(800)のBを指し示す動きベクトルMVc(809)に変換する。この場合のRGB 再配置の手順は、注目画素M+1(801)のRは画素M+2(802)のR2を移動して配置し、注目画素M+1(801)のGは変更せずに元のG1のままとし、注目画素M+1(801)のBは画素M+0(800)のB0を移動して配置する。
なお、前記したように図8の横軸は時間である。動きベクトルMvref(810)とMVc(309)は図6で述べたとおり、画面上では180度逆の方向を向き、それぞれの中心点が異なっている。
【００２４】
図4で示した従来例では、注目画素のGおよびBを他の画素のGおよびBに再配置した後、元の注目画素のGおよびBに対しさらに他の画素のGおよびBが再配置されるとは限らない。このため前記したような色割れ現象を発生することがあった。これに対して本発明では、注目画素のGを中心としてRおよびBが必ず再配置されるため、前記したような色割れ現象は原理的に発生しない。画面の端部では再配置する画素が存在しない場合もあるが、端部であるために特に問題とはならない。
【００２５】
図9は、本発明の一実施例における画像変換部103の手順の別な例を示す図である。
同図では、図8に示したRGB 再配置手順を複数画素に渡って実施する例を説明する。
図9(a)に示した通り、ある注目した3画素の動きベクトル検出において、第1の注目画素M+1(901)の動きベクトルMVref1(906)、第2の注目画素M+2(902)の動きベクトルMVref2(907)、第3の注目画素M+3(903)の動きベクトルMVref3(908)を得たと仮定する。
図9(b)に示した通り、各動きベクトルをRGBの発光タイミングを考慮した位置に変換すると、動きベクトルMVref1(906)は画素M+2(902)のR2を起点に画素M+0(900)のB0を指し示す位置関係の動きベクトルMVc1(909)となる。また、動きベクトルMVref2(907)は画素M+3(903)のR3を起点に画素M+1(901)のB1を指し示す位置関係の動きベクトルMVc2(910)となる。更に、動きベクトルMVref3(908)は画素M+4(904)のR4を起点に画素M+2(902)のB2を指し示す位置関係の動きベクトルMVc1(911)となる。
【００２６】
図9(c)に示した通り、この場合の第1の注目画素M+1(901)のRGB再配置の手順は、Rは画素M+2(902)のR2を移動して配置し、Gは変更せずに元のG1のままとし、Bは画素M+0(900)のB0を移動して配置する。また、第2の注目画素M+2(902)のRGB再配置の手順は、Rは画素M+3(903)のR3を移動して配置し、Gは変更せずに元のG2のままとし、Bは画素M+1(901)のB1を移動して配置する。さらに、第3の注目画素M+3(903)RGB再配置の手順は、Rは画素M+4(904)のR4を移動して配置し、Gは変更せずに元のG3のままとし、Bは画素M+2(902)のB2を移動して配置する。
【００２７】
図10は、本発明の一実施例における画像変換部103の手順のさらに別な例を示す図である。図10(a)と図10(b)では図8、図9とは異なり、一つの四角が一つの画素を示しており、図10(c)で示したように時分割でRGBの色表現を行う。
図10(a)では、注目画素(N+0、M+0)(1000)の動きベクトル検出において、動きベクトルMVref(1001)を得たと仮定する。
図10(b)に示した通り、動きベクトルMVref(1001)をRGBの発光タイミングを考慮した位置に変換すると、画素(N+2、M+2)(1003)のRを起点に画素(N-2、M-2)(1004)のBを指し示す位置関係の動きベクトルMVc(1002)となる。
【００２８】
図10(c)に示した通り、この場合の注目画素(N+0、M+0)(1000)のRGB再配置の手順は、R(1007)は画素(N+2、M+2)(1003)のR’(1005)を移動して配置し、G(1008)は変更せずに元のG(1008)のままとし、B(1009)は画素(N-2、M-2)(1004)のB”(1006)を移動して配置する。
【００２９】
図11は、本発明の一実施例における動きベクトル変換手順の別な例を示す図である。
前述の実施例の説明では、注目画素と変換後の動きベクトルの中心が重なる例を示した。
一方、例えば図11(a)に示す例のように、得られた動きベクトル量によっては、動きベクトル中心位置の丸めにより、注目画素と変換後の動きベクトルの中心が重ならない場合がある。図11(a)では、注目画素(N+0、M+0)(1100)の動きベクトル検出において、動きベクトルMVref(1101)を得たと仮定する。前述までの手順で動きベクトルMVref(1101)をRGBの発光タイミングを考慮した位置に変換すると、変換後の動きベクトルMVc(1102)の中心は、動きベクトル中心位置の丸めにより、画素(N+0、M+0)とは重ならなくなる。
【００３０】
この場合の処理手順として、図11(b)に示した通り、変換後の動きベクトルMVc(1102)の中心を注目画素(N+0、M+0)(1000)と画素(N-1、M-1)(1103)の間に重なるように配置するか、または、図11(c) に示した通り、注目画素(N+0、M+0)(1000)と画素(N+1、M+1)(1104)の間に重なるように配置する。図11(c)に示した手順は、厳密には、RGB再配置時の参照画素に誤差を生じるが、その誤差は±1画素程度の範囲であり、画質に与える影響は事実上無視できる。また、図11(b)と図11(c)の手順のどちらを選択するかは任意に決めて良い。
【００３１】
図12は、本発明の一実施例における高画質化部100の処理フローを示す図である。
高画質化処理を開始後、まず、ステップS1200で画像が入力され、図５のフレームメモリ1(500)に現在画像として保持される。ステップS1201で、前回処理ループで入力され図５のフレームメモリ2(501)に保持された過去画像と前記現在画像を参照して、画素動きベクトル検出部(503)は注目画素の動きベクトルMVrefを検出する。
次に、ステップS1202で動きベクトル変換部(102)は、例えば図7、図9(a)、図9(b)、図10(a)、図10(b)、図11で示した方法で、動きベクトルMVrefを入力画像のRGB再配置用動きベクトルMVcに変換する。続いて、ステップS1203で図1の画像変換部(103)は、例えば図8、図9(c)、図10(c)で示した方法で、注目画素に変換後の動きベクトルMVcを適用して、注目画素のRGBを再配置する。
次に、ステップS1204でステップS1201からステップS1203の処理が入力画像の全画素について終了したか否かを判定し、全画素終了していなければ(図中のNo)、ステップS1201に戻って次の注目画素の動きベクトル検出を行う。全画素終了ならば(図中のYes)、続いてステップS1205で高画質化処理を終了するか否かを判定し、高画質化処理終了でなければ(図中のNo)、ステップS1200に戻って次の画像を入力し、以後、同様の処理手順を繰り返す。高画質化処理終了ならば(図中のYes)、本処理を終了する。
【００３２】
図13は、本発明による高画質化部100を用いたFSC液晶パネル装置の構成例を示す図である。
本発明による高画質化部100は、外部から入力した画像データを予めテーブル等で用意された所定の実階調値に変換する量子化部1302と、前段で決定した画素の実階調値を、例えば誤差拡散法等を用いて階調表現のダイナミックレンジを広げるための階調処理部1303と、FSC駆動部を含んで画像として可視化するための液晶表示デバイス1305を備えたFSC液晶パネル装置1300において、動画再生時の色割れ現象をキャンセルするための本発明の高画質化部1304(100)は、量子化部1302と階調処理部1303と高画質化部1304(100)を１個に集積した画像高画質化LSI(1301)として有し、液晶表示デバイス1305の前段に実装している。
【００３３】
これまでの説明で示した実施例は、あくまで一例であって本発明を限定するものではない。たとえば図5から図11で示した動きベクトルや画像の変換方法については様々な変更を加えた例を考えられるが、いずれも本発明の範疇にある。
【符号の説明】
【００３４】
100,1304：高画質化部、101：動きベクトル検出部、102：動きベクトル変換部、103：画像変換部。
【図１】
2010250160.tif 000003
【図２】
2010250160.tif 000004
【図３】
2010250160.tif 000005
【図４】
2010250160.tif 000006
【図５】
2010250160.tif 000007
【図６】
2010250160.tif 000008
【図７】
2010250160.tif 000009
【図８】
2010250160.tif 000010
【図９】
2010250160.tif 000011
【図１０】
2010250160.tif 000012
【図１１】
2010250160.tif 000013
【図１２】
2010250160.tif 000014
【図１３】
2010250160.tif 000015